(57)【要約】【課題】  空掛けを防止して障子と枠との間を確実に施錠することが可能な錠装置を提供する。【解決手段】  本発明の錠装置２０によれば、障子１２を閉めたつもりでも、半開き状態であると、ストライカ６３がラッチ３４に係合可能な係合可能領域に進入せず、トリガー３５がラッチ３４に係合した状態に保持されて、解錠位置から施錠位置へのラッチ３４の回動操作が禁止される。そして、ストライカ６３がラッチ３４に係合可能な係合可能領域に進入した位置まで障子１２を閉めると、トリガー３５とラッチ３４との係合が解除されて、解錠位置から施錠位置へのラッチ３４の回動操作が許容され、施錠を行うことができる。これにより、空掛けが防止され、障子１２と枠との間を確実に施錠することができる。【選択図】  図５
2006214081.tif 000002
【特許請求の範囲】
【請求項１】
障子又はその障子を内側に備えた枠の一方に組み付けられ、他方に備えたストライカに対向配置される錠装置であって、施錠位置と解錠位置との間を回動可能なラッチと、そのラッチを手動で回動操作するためのラッチ操作部とを有し、前記障子が閉じた状態で、前記ラッチを前記解錠位置から前記施錠位置に回動操作してストライカに係合させて施錠する錠装置において、
前記障子が開いた状態で前記ラッチに係合して前記解錠位置から前記施錠位置への前記ラッチの回動操作を禁止すると共に、前記障子が閉じられる過程で、前記ストライカが前記ラッチに係合可能な係合可能領域に進入したときに、前記障子又は前記枠のうち前記ストライカを備えた側に設けられたトリガー当接部に押されて作動することで前記ラッチとの係合を解除し、前記ラッチの回動操作を許容するトリガーを備えたことを特徴とする錠装置。
【請求項２】
前記ラッチは、前記解錠位置から前記施錠位置に回動する過程で、前記係合可能領域内のストライカを前記錠装置側に引き寄せるように構成されたことを特徴とする請求項１に記載の錠装置。
【請求項３】
前記ラッチが前記解錠位置から前記施錠位置に回動することを許容する第１位置と、前記施錠位置の前記ラッチに係合して前記ラッチを固定する第２位置との間で回動可能なポールと、
前記ラッチが前記解錠位置から前記施錠位置に回動したことに連動して、前記ポールを前記第１位置から前記第２位置に回動させるラッチポール連動機構と、
前記施錠位置の前記ラッチと前記ポールとの係合を手動操作により解除するためのポール操作部とを備えたことを特徴とする請求項１又は２に記載の錠装置。
【請求項４】
前記ポール操作部を、直動可能とし、押圧操作された前記ポール操作部に押されて回動する回動アームを前記ポールに設け、その回動アームと共に前記ポール全体が回動して前記ラッチとの係合が解除されるようにしたことを特徴とする請求項３に記載の錠装置。
【請求項５】
前記ラッチ、前記トリガー及び前記ポールは、共通した板金ベースの一の面に回動可能に組み付けられ、前記板金ベースには、前記ラッチ用、前記トリガー用及び前記ポール用の３種類の各取付部が線対称の２つの位置にそれぞれ設けられ、それら２つの位置の何れか一方を選択して前記ラッチ、前記トリガー及び前記ポールを組み付け可能としたことを特徴とする請求項３又は４に記載の錠装置。
【請求項６】
前記ラッチ、前記トリガー及び前記ポールを、共通した板金ベースの一の面に回動可能に組み付けると共に、前記一の面に直交して、前記障子又は前記枠の一方に備えた錠固定面に重ねて固定されるベース固定部を設け、
前記ラッチ操作部は、前記錠固定面から突出するように前記ラッチの回動中心から前記一の面と略平行に延びたことを特徴とする請求項３乃至５の何れかに記載の錠装置。
【請求項７】
前記板金ベースに、前記ラッチ操作部の回動領域を覆った筐体状のカバーを設け、前記カバーには、前記ラッチ操作部の回動軌跡に対応した円弧形状部が備えられ、その円弧形状部の先端円弧壁に形成されたスリットを通して前記ラッチ操作部の先端部が前記カバーの外部に露出されたことを特徴とする請求項６に記載の錠装置。
【請求項８】
前記先端円弧壁に内側から重ねられた可動円弧部材を前記ラッチ操作部に固定して設け、前記可動円弧部材は、前記ラッチ操作部の回動位置に拘わらず常時前記スリットを閉塞する長さに形成されたことを特徴とする請求項７に記載の錠装置。
【請求項９】
前記ラッチ操作部の先端に冠着された樹脂キャップを設け、
前記樹脂キャップの基端部に前記可動円弧部材を一体形成したことを特徴とする請求項８に記載の錠装置。
【請求項１０】
前記ポール操作部の側方を前記カバーで覆い、前記ポール操作部の先端部を前記カバーから外部に露出させたことを特徴とする請求項７乃至９の何れかに記載の錠装置。
【発明の詳細な説明】
【技術分野】
【０００１】
本発明は、障子を閉めてから手動操作を行って施錠する錠装置に関する。
【背景技術】
【０００２】
従来、この種の錠装置の代表例としてクレセント錠が知られている。クレセント錠は１対の障子の間を施錠する錠装置である。このクレセント錠では、施錠操作はしたが障子が半開き状態であるために施錠はされていない、所謂、「空掛け」が従来より問題になっていた。これに対し、空掛け防止機能を備えたクレセント錠が種々開発されている（例えば、特許文献１参照）。また、上記クレセント錠が１対の障子の間を施錠するものであるのに対し、手動操作により障子と枠との間を施錠する錠装置も従来から知られている（例えば、特許文献２参照）。
【特許文献１】特開平９−１５８５８５号公報（段落［０００７］，［０００８］図４）
【特許文献２】特開平１０−２２００９０号公報（段落［００２７］［００２８］、図７）
【発明の開示】
【発明が解決しようとする課題】
【０００３】
ところで、障子と枠との間を施錠する錠装置では、クレセント錠に比べて空掛けが生じ難いため、空掛け防止機能を備えた錠装置が開発されていなかった。しかしながら、治安の悪化が進むに連れ、障子と枠との間を施錠する錠装置においても、空掛け防止機能を備えたものの開発が強く求められるようになってきている。
【０００４】
本発明は、上記事情に鑑みてなされたもので、空掛けを防止して障子と枠との間を確実に施錠することが可能な錠装置の提供を目的とする。
【課題を解決するための手段】
【０００５】
上記目的を達成するためになされた請求項１の発明に係る錠装置は、障子又はその障子を内側に備えた枠の一方に組み付けられ、他方に備えたストライカに対向配置される錠装置であって、施錠位置と解錠位置との間を回動可能なラッチと、そのラッチを手動で回動操作するためのラッチ操作部とを有し、障子が閉じた状態で、ラッチを解錠位置から施錠位置に回動操作してストライカに係合させて施錠する錠装置において、障子が開いた状態でラッチに係合して解錠位置から施錠位置へのラッチの回動操作を禁止すると共に、障子が閉じられる過程で、ストライカがラッチに係合可能な係合可能領域に進入したときに、障子又は枠のうちストライカを備えた側に設けられたトリガー当接部に押されて作動することでラッチとの係合を解除し、ラッチの回動操作を許容するトリガーを備えたところに特徴を有する。
【０００６】
請求項２の発明は、請求項１に記載の錠装置において、ラッチは、解錠位置から施錠位置に回動する過程で、係合可能領域内のストライカを錠装置側に引き寄せるように構成されたところに特徴を有する。
【０００７】
請求項３の発明は、請求項１又は２に記載の錠装置において、ラッチが解錠位置から施錠位置に回動することを許容する第１位置と、施錠位置のラッチに係合してラッチを固定する第２位置との間で回動可能なポールと、ラッチが解錠位置から施錠位置に回動したことに連動して、ポールを第１位置から第２位置に回動させるラッチポール連動機構と、施錠位置のラッチとポールとの係合を手動操作により解除するためのポール操作部とを備えたところに特徴を有する。
【０００８】
請求項４の発明は、請求項３に記載の錠装置において、ポール操作部を、直動可能とし、押圧操作されたポール操作部に押されて回動する回動アームをポールに設け、その回動アームと共にポール全体が回動してラッチとの係合が解除されるようにしたところに特徴を有する。
【０００９】
請求項５の発明は、請求項３又は４に記載の錠装置において、ラッチ、トリガー及びポールは、共通した板金ベースの一の面に回動可能に組み付けられ、板金ベースには、ラッチ用、トリガー用及びポール用の３種類の各取付部が線対称の２つの位置にそれぞれ設けられ、それら２つの位置の何れか一方を選択してラッチ、トリガー及びポールを組み付け可能としたところに特徴を有する。
【００１０】
請求項６の発明は、請求項３乃至５の何れかに記載の錠装置において、ラッチ、トリガー及びポールを、共通した板金ベースの一の面に回動可能に組み付けると共に、一の面に直交して、障子又は枠の一方に備えた錠固定面に重ねて固定されるベース固定部を設け、ラッチ操作部は、錠固定面から突出するようにラッチの回動中心から一の面と略平行に延びたところに特徴を有する。
【００１１】
請求項７の発明は、請求項６に記載の錠装置において、板金ベースに、ラッチ操作部の回動領域を覆った筐体状のカバーを設け、カバーには、ラッチ操作部の回動軌跡に対応した円弧形状部が備えられ、その円弧形状部の先端円弧壁に形成されたスリットを通してラッチ操作部の先端部がカバーの外部に露出されたところに特徴を有する。
【００１２】
請求項８の発明は、請求項７に記載の錠装置において、先端円弧壁に内側から重ねられた可動円弧部材をラッチ操作部に固定して設け、可動円弧部材は、ラッチ操作部の回動位置に拘わらず常時スリットを閉塞する長さに形成されたところに特徴を有する。
【００１３】
請求項９の発明は、請求項８に記載の錠装置において、ラッチ操作部の先端に冠着された樹脂キャップを設け、樹脂キャップの基端部に可動円弧部材を一体形成したところに特徴を有する。
【００１４】
請求項１０の発明は、請求項７乃至９の何れかに記載の錠装置において、ポール操作部の側方をカバーで覆い、ポール操作部の先端部をカバーから外部に露出させたところに特徴を有する。
【発明の効果】
【００１５】
［請求項１の発明］
請求項１の錠装置によれば、障子を閉めたつもりでも、半開き状態であると、ストライカがラッチに係合可能な係合可能領域に進入せず、トリガーがラッチに係合した状態に保持されて、解錠位置から施錠位置へのラッチの回動操作が禁止される。そして、ストライカがラッチに係合可能な係合可能領域に進入した位置まで障子を閉めると、トリガーとラッチとの係合が解除されて、解錠位置から施錠位置へのラッチの回動操作が許容され、施錠を行うことができる。これにより、空掛けが防止され、障子と枠との間を確実に施錠することができる。
【００１６】
［請求項２の発明］
請求項２の錠装置によれば、ラッチが、解錠位置から施錠位置に回動する過程で、係合可能領域内のストライカが錠装置側に引き寄せられ、これにより障子と枠との間で隙間風防止等を目的とした弾性部材を押し潰すことができる。
【００１７】
［請求項３，４の発明］
請求項３の錠装置によれば、障子を閉めてラッチを解錠位置から施錠位置に回動操作すると、これに連動してポールが回動してラッチに係合し、ラッチを施錠位置に固定する。また、解錠するときには、ポール操作部を操作することで、施錠位置のラッチとポールとの係合が解除され、ラッチを施錠位置から解錠位置に戻すことができるようになる。ここで、請求項４の錠装置によれば、ポール操作部の押圧操作によりポールを回動させて、ポールとラッチとの係合を解除することができる。
【００１８】
［請求項５の発明］
請求項５の錠装置によれば、板金ベースのうち線対称の２つの位置に、ラッチ用、トリガー用及びポール用の３種類の各取付部をそれぞれ設けたので、錠装置が取り付けられる位置に応じて、板金ベースにおける２つの位置の何れか一方を選択してラッチ、トリガー及びポールを組み付けることができる。即ち、板金ベース、ラッチ等の各部品を流用して、錠装置の取付位置に応じた仕様に錠装置を組み替えることができる。
【００１９】
［請求項６の発明］
請求項６の錠装置は、障子又は枠の錠固定面に形成した孔に錠装置を挿入した状態にしてベース固定部を錠固定面に重ねて固定することで、障子又は枠に錠装置を固定することができる。
【００２０】
［請求項７の発明］
請求項７の錠装置によれば、ラッチ操作部のうち操作に必要な先端部以外をカバーにより覆って見栄えを向上させることができる。
【００２１】
［請求項８，９の発明］
請求項８の錠装置によれば、ラッチ操作部の回動位置に拘わらず、常時、スリットを可動円弧部材によって閉塞することができるので、見栄えがさらに向上する。ここで、可動円弧部材は、ラッチ操作部の先端に冠着された樹脂キャップの基端部に一体形成することが好ましい（請求項９の発明）。
【００２２】
［請求項１０の発明］
請求項１０の錠装置によれば、ポール操作部のうち操作に必要な先端部以外をカバーにより覆って見栄えを向上させることができる。
【発明を実施するための最良の形態】
【００２３】
［第１実施形態］
以下、本発明の第１実施形態を図１〜図１０に基づいて説明する。
図１に示した窓用サッシ１０は、縦長矩形状の窓枠１１（本発明の「枠」に相当する）の内側に障子１２を備えてなり、その障子１２は、縦長の矩形枠形状をなした框１２Ｗの内側にガラス板１２Ｇを張った構造になっている。また、障子１２及び窓枠１１の上辺部同士の間と下辺部同士の間には、障子支持アーム１３，１３（図１には、下辺部の障子支持アーム１３のみが示されている）がそれぞれ差し渡されている。そして、窓枠１１の室内面に取り付けられた開閉ハンドル１４の操作によって障子支持アーム１３，１３が回動し、障子１２が水平にスライドしながら回転して開閉される。また、障子１２は開いた状態になると、障子１２の両側部が室内側と室外とに分かれて突出する。なお、このような構造は、一般に、「縦辷り出し構造」と呼ばれている。
【００２４】
本発明に係る錠装置２０は、図１において窓枠１１の右側の縦枠部材１１Ｔに取り付けられている。これに対応して障子１２の右側の縦框１２Ｔにストライカベース６０（図２参照）が取り付けられている。なお、これら錠装置２０及びストライカベース６０は、共に縦枠部材１１Ｔ及び縦框１２Ｔにおける上下方向の略中央に配置されている。
【００２５】
図２には、縦枠部材１１Ｔ及び縦框１２Ｔの水平面で断面した断面図が示されている。縦枠部材１１Ｔのうち障子１２側を向いた内向壁部１１Ａからは障子接合壁１１Ｂが垂直に起立している。そして、錠装置２０は、障子接合壁１１Ｂの基端側に形成された錠組付孔１１Ｃに組み付けられている。また、障子接合壁１１Ｂには、先端縁部に沿って隙間風防止等を目的とした帯状弾性部材１１Ｄが取り付けられている。なお、障子接合壁１１Ｂにおける室内側を向いた面（図２において下方を向いた面）が、本発明に係る「錠固定面」になっている。
【００２６】
一方、縦框１２Ｔは、中空の角柱形状をなし、縦框１２Ｔの内向壁部１２Ａにはガラス板１２Ｇの縁部を収容したガラス板収容溝１２Ｍが形成されている。そして、縦框１２Ｔの外向壁部１２Ｂにストライカベース６０が取り付けられている。また、縦框１２Ｔの室外壁部１２Ｃは、外向壁部１２Ｂより縦枠部材１１Ｔの内向壁部１１Ａ側に延長されて張り出し、ストライカベース６０の室外側を覆っている。さらに、縦框１２Ｔの室内壁部１２Ｄは、図３に示すように、障子１２を閉めた状態で縦枠部材１１Ｔの障子接合壁１１Ｂと対向して帯状弾性部材１１Ｄに密着する。
【００２７】
図４に示すように、ストライカベース６０は、板金を扁平な「コ」の字形状に屈曲させてなり、水平方向で対向した１対の対向壁６１，６１を備えている。そして、これら対向壁６１，６１の先端間にストライカ６３が差し渡されている。図２に示すように、ストライカ６３は、円柱形状をなしかつその一端には扁平円板状のヘッド６３Ｈが備えられている。そして、ストライカ６３は、両対向壁６１，６１を貫通した状態にして、ヘッド部６３Ｈと反対側の他端に螺子６６を螺合することでストライカベース６０に固定されている。
【００２８】
図４に示すように、ストライカベース６０のうち一方の対向壁６１における基端部分からは、上方と下方とに向けて突片６２，６２が張り出している。また、各突片６２の錠装置２０側の縁部からはトリガー当接部６４が直角曲げされている。さらに、各突片６２には、水平方向に長くなった長孔６５Ｈ，６５Ｈがそれぞれ形成されている。そして、図２に示すように、一方の対向壁６１を縦框１２Ｔの外向壁部１２Ｂに宛い、かつ、ストライカベース６０の屈曲部側を室外壁部１２Ｃ側に配置した状態にして、長孔６５Ｈ，６５Ｈに通した螺子６５によりストライカベース６０が縦框１２Ｔに固定されている。これにより、障子１２を閉じたときに、ストライカ６３及びトリガー当接部６４，６４が、縦枠部材１１Ｔの障子接合壁１１Ｂに対向する。また、ストライカ６３に螺合された螺子６６は、縦框１２Ｔの外向壁部１２Ｂに覆われ、ストライカベース６０を縦框１２Ｔから外さない限り、ストライカベース６０からストライカ６３を離脱することができないようになっている。
【００２９】
さて、錠装置２０には、障子接合壁１１Ｂに螺子止めされた板金ベース３３が備えられ、この板金ベース３３に、ラッチ３４、トリガー３５、ポール３６及び樹脂製のカバー４０が組み付けられている。図４に示すように、板金ベース３３は、板金を所定の形状に打ち抜きかつ折り曲げてなり、上下方向で対称形状になっている。具体的には以下の通りである。板金ベース３３は、全体的には窓枠１１の内向壁部１１Ａ側と平行になった平板状をなし、錠組付孔１１Ｃを貫通した状態で障子接合壁１１Ｂに組み付けられている。以下、錠装置２０に関しては、錠組付孔１１Ｃを貫通する方向を「前後方向」といい、この方向における室外側を前側、室内側を後側という。
【００３０】
図２に示すように、板金ベース３３は、前後方向（図２の上下方向）における中間部分でクランク状に折り曲げられると共に、板金ベース３３の後端縁は、全体に亘って直角曲げされ、錠組付孔１１Ｃの開口全体を後方から覆う後端壁３３Ａを備えている。また、後端壁３３Ａの幅方向（図２の左右方向）の中央にはスリット３３Ｂが形成され、このスリット３３Ｂは、図５に示すように、後端壁３３Ａの上下の両端部寄り位置まで延びている。さらに、同図に示すように、後端壁３３Ａの上下の両端部は、前方に向けてクランク状に折り曲げられてベース固定部３３Ｃ，３３Ｃになっている。そして、障子接合壁１１Ｂの室内面側から錠組付孔１１Ｃに、板金ベース３３の前側部分を挿入し、ベース固定部３３Ｃ，３３Ｃを障子接合壁１１Ｂにおける開口縁に重ねて螺子止めすることで、板金ベース３３が障子接合壁１１Ｂに固定されている。また、上下の各ベース固定部３３Ｃの上端部又は下端部からは、障子接合壁１１Ｂから離れる側にカバー固定部３３Ｄが直角曲げされており、このカバー固定部３３Ｄにはカバー係止孔３３Ｅが形成されている。
【００３１】
板金ベース３３の先端部には、上下方向の中央にストライカ受容凹部３３Ｓが形成されている。また、板金ベース３３には、円形座部５１と長円形座部５０とがストライカ受容凹部３３Ｓを挟んで上下対称に２つずつ形成されている。これら円形座部５１及び長円形座部５０は、板金ベース３３の一部を縦枠部材１１Ｔの内向壁部１１Ａ側と反対側に隆起させてなる。また、円形座部５１，５１は、板金ベース３３の上下の両端部における前寄り位置に配置され、各円形座部５１の中心部分には取付孔５１Ａが形成されている。
【００３２】
長円形座部５０，５０は、ストライカ受容凹部３３Ｓの上部近傍と下部近傍とに配置され、長円形をなしかつその長軸が板金ベース３３の後方に向かうに従ってストライカ受容凹部３３Ｓから離れる側に傾斜している。そして、１対の取付孔５０Ａ，５０Ｂが長円形座部５０における長軸方向の両端に形成されている。
【００３３】
トリガー３５は、上側の円形座部５１における取付孔５１Ａに支持ピン３５Ｐにて回動可能に軸支され、図５に示したラッチ係合位置と図８に示したラッチ係合解除位置との間を回動する。トリガー３５は、平板構造をなし、回動中心から障子検知アーム３５Ｔ、バネ係止アーム３５Ｓ及びラッチ係止アーム３５Ｋを張り出して備えている。図５に示すように、バネ係止アーム３５Ｓは、トリガー３５がラッチ係合位置に位置したときに、斜め後側上方に向かって延びた状態になる。また、バネ係止アーム３５Ｓの先端と板金ベース３３から起立した突起ＴＫ１との間にはコイルバネ３８が差し渡され、バネ係止アーム３５Ｓの後方には、板金ベース３３に一体形成されたストッパＳＴ２が起立している。そして、トリガー３５は、コイルバネ３８の弾発力によって図５の時計回り方向に付勢され、バネ係止アーム３５ＳとストッパＳＴ２との当接によりラッチ係合位置に位置決めされている。
【００３４】
障子検知アーム３５Ｔは、トリガー３５がラッチ係合位置に位置すると、斜め前側下方に向かって延びた状態になる。障子検知アーム３５Ｔの先端部は半円形状をなし、障子１２が閉じられると、障子１２側の前記トリガー当接部６４に障子検知アーム３５Ｔの先端部が当接し、トリガー３５が反時計回り方向に回動する。
【００３５】
ラッチ係止アーム３５Ｋは、トリガー３５がラッチ係合位置に位置すると、斜め後側下方に向かって延びた状態になって、次述するラッチ３４のトリガー係合部３４Ｊに突き合わされる。また、ラッチ係止アーム３５Ｋから板金ベース３３に向けて可動ピン３９Ｐが突出しており、この可動ピン３９Ｐが板金ベース３３に形成された円弧孔３９Ｈ内に挿入されている。そして、トリガー３５がラッチ係合位置からラッチ係合解除位置に回動すると、可動ピン３９Ｐが円弧孔３９Ｈ内を一端から他端に移動する。
【００３６】
ラッチ３４は、上側の長円形座部５０における前側の取付孔５０Ａに、支持ピン３４Ｐにて回動可能に軸支され、図５に示した解錠位置と図８に示した施錠位置との間を回動する。ラッチ３４は、平板構造をなし、回動中心或いは回動中心の近傍からストライカ係合片３４Ａ、ポール係合片３４Ｂ、ラッチ操作レバー３４Ｒ（本発明の「ラッチ操作部」に相当する）を張り出して備えている。図５に示すように、ストライカ係合片３４Ａは、ラッチ３４が解錠位置に位置すると、斜め前側下方に向かって延びた状態になり、ストライカ係合片３４Ａの先端部がストライカ６３より上方に位置してストライカ受容凹部３３Ｓの開口を開放する。また、ストライカ係合片３４Ａの上縁部は、板金ベース３３から起立したストッパＳＴ１に当接し、これによりラッチ３４が施錠位置に位置決めされている。
【００３７】
ポール係合片３４Ｂは、ラッチ３４が解錠位置に位置すると、鉛直下方に向かって延びた状態になる。また、ポール係合片３４Ｂには、先端部の後側半分を前側半分より回動半径を大きくする側に延長して、前向きの段差面を備えた先端係止部３４Ｋが形成されている。
【００３８】
ラッチ操作レバー３４Ｒは、ラッチ３４が解錠位置に位置すると、水平後方に延びた状態になる。また、ラッチ操作レバー３４Ｒの長手方向の中間部分には、フック部３４Ｆが形成されている。
【００３９】
ラッチ３４には、回動中心を挟んでポール係合片３４Ｂと反対側にトリガー係合部３４Ｊが形成されている。ここで、図５に示すように、ラッチ３４が解錠位置に位置した状態で、トリガー３５がラッチ係合位置に位置すると、トリガー３５のラッチ係止アーム３５Ｋと、ラッチ３４のトリガー係合部３４Ｊとが突き合わされた状態になって係合する。これにより、ラッチ操作レバー３４Ｒの回動が禁止され、ラッチ３４が解錠位置に保持される。これに対し、図７に示すように、トリガー３５がトリガー当接部６４との当接によりラッチ係合解除位置まで回動すると、ラッチ係止アーム３５Ｋとトリガー係合部３４Ｊとの係合が解除され、これによりラッチ３４が解錠位置から施錠位置への回動を許容された状態になる。
【００４０】
ポール３６は、下側の長円形座部５０における後側の取付孔５０Ｂに、支持ピン３６Ｐにて回動可能に軸支されている。ポール３６は、平板構造をなし、回動中心からラッチ係合片３６Ｔ、バネ係止片３６Ｓ、ポール被操作レバー３６Ｒ（本発明の「回動アーム」に相当する）を張り出して備えている。図５に示すように、バネ係止片３６Ｓは、ラッチ３４が解錠位置に位置すると、水平方向に延びた状態になり、そのバネ係止片３６Ｓの先端と、前記したラッチ操作レバー３４Ｒのフック３４Ｆとの間にコイルバネ３７が差し渡されている。そして、このコイルバネ３７の弾発力によりポール３６が図５における反時計回り方向に付勢されている。
【００４１】
ラッチ係合片３６Ｔの前縁部分は、後側上方に向かって延びた構造をなし、ラッチ３４が解錠位置に位置すると、そのラッチ係合片３６Ｔの前縁部分が、ラッチ３４におけるポール係合片３４Ｂの回動領域内に僅かに入った状態になる。また、このときポール係合片３４Ｂの先端はラッチ係合片３６Ｔの基端部に当接している。そして、ラッチ３４が解錠位置から施錠位置に向かって回動する過程で、ラッチ係合片３６Ｔは、先端係止部３４Ｋに押されて時計回り方向に僅かに回動し、これに伴いラッチ操作レバー３４Ｒとバネ係止アーム３５Ｓとの間が広がってコイルバネ３７が伸ばされる。また、ラッチ３４が施錠位置に至ると、図８に示すように、先端係止部３４Ｋがラッチ係合片３６Ｔを乗り越え、ラッチ係合片３６Ｔが反時計回り方向に僅かに回動して、ラッチ３４の先端係止部３４Ｋに係止する。これにより、ラッチ３４が施錠位置に保持されると共にポール３６もラッチ３４への押し付けにより回動不能に固定される。この機構が、本発明に係る「ラッチポール連動機構」である。
【００４２】
また、図５に示すように、ポール係合片３４Ｂの先端がラッチ係合片３６Ｔの基端部に当接した状態と、図８に示すように、ラッチ係合片３６Ｔがラッチ３４の先端係止部３４Ｋに係止した状態とでは、ポール３６の回動姿勢は同じになり、ポール被操作レバー３６Ｒは、斜め後側下方に延びた状態になっている。ここで、ポール係合片３４Ｂの先端がラッチ係合片３６Ｔの基端部に当接した状態のポール３６の位置は、本発明の「第１位置」に相当し、ラッチ係合片３６Ｔがラッチ３４の先端係止部３４Ｋに係止した状態のポール３６の位置は、本発明の「第２位置」に相当する。
【００４３】
図４に示すように、板金ベース３３の後部には、筐体状のカバー４０が取り付けられている。カバー４０は、図２に示すように、水平横方向（図２の左右方向）に扁平になっており、板金ベース３３の後端壁３３Ａを内側に丁度収容可能な幅をなしている。そして、図５に示すように、カバー４０の上面壁と下面壁とから内側に突出させた係止突起４０Ｔ，４０Ｔを、板金ベース３３に備えた前記カバー固定部３３Ｄのカバー係止孔３３Ｅに係止して、カバー４０が板金ベース３３に固定されている。
【００４４】
図４に示すように、カバー４０には、ラッチ操作レバー３４Ｒの回動軌跡に対応した円弧形状部４０Ａが備えられ、その円弧形状部４０Ａの先端円弧壁４０Ｂに形成されたスリット４１を通してラッチ操作レバー３４Ｒの先端部がカバー４０の外部に露出されている。そして、図５に示すようにラッチ３４が解錠位置に位置すると、ラッチ操作レバー３４Ｒがスリット４１の下端部に配置され、図８に示すようにラッチ３４が施錠位置に位置すると、ラッチ操作レバー３４Ｒがスリット４１の上端部に配置される。
【００４５】
カバー４０を板金ベース３３に組み付ける前に、ラッチ操作レバー３４Ｒの先端部には樹脂キャップ４５が冠着されている。図５に示すように、樹脂キャップ４５には、カバー４０の先端円弧壁４０Ｂに内側から重ねられる可動円弧部材４６が一体形成されている。可動円弧部材４６は、樹脂キャップ４５の上下両方向に延び、ラッチ操作レバー３４Ｒの回動位置に拘わらず、常時、スリット４１全体を内側から閉塞している。
【００４６】
カバー４０の下端部における内部には、筒体４７が前後方向に延びた状態で収容されている。筒体４７の後端部がカバー４０の壁部に固定されて、その壁部に貫通形成された孔を介して筒体４７の内部空間が連通している。筒体４７の前端部は、板金ベース３３における後端壁３３Ａに突き当てられ、スリット３３Ｂを介して筒体４７の内部空間が後端壁３３Ａより前方に開放している。そして、筒体４７内にポール操作部材４２が挿通されている。
【００４７】
ポール操作部材４２は、円柱棒体の前端部に溝壁４２Ｍを備えた構造になっている。溝壁４２Ｍは、前方と上方とに開放した凹部を有し、その凹部にポール３６におけるポール被操作レバー３６Ｒの先端が収容されている。ポール操作部材４２の後端寄り位置には、フランジ４２Ｆが設けられ、ポール操作部材４２の中間部分に挿通したコイルバネ４３がフランジ４２Ｆと後端壁３３Ａとの間に挟まれている。ポール操作部材４２の後端部は、ポール操作部材４２の中間部分より小径になっており、カバー４０の外側に露出している。そして、図８に示すようにポール３６とラッチ３４とが係合して共に回動不能となった場合に、ポール操作部材４２におけるカバー４０からの露出部分を押圧操作することで、ポール３６が回動して、ポール３６とラッチ３４とが係合が解除される。
【００４８】
次に、上記構成からなる本実施形態の動作を説明する。
障子１２が開いた状態では、図５に示すように、ラッチ３４が解錠位置に位置すると共にトリガー３５がラッチ係合位置に位置する。そして、トリガー３５のラッチ係止アーム３５Ｋと、ラッチ３４のトリガー係合部３４Ｊとが係合し、これによりラッチ操作レバー３４Ｒの回動操作が禁止され、ラッチ３４の解錠位置に保持される。
【００４９】
錠装置２０を施錠するには、障子１２を閉じてから、ラッチ操作レバー３４Ｒを上方に引き上げるように回動操作する。詳細には、障子１２が閉じられていくと、その途中で図６に示すようにストライカ６３がストライカ係合片３４Ａを通過して、板金ベース３３のストライカ受容凹部３３Ｓ内に進入する。板金ベース３３がストライカ受容凹部３３Ｓに進入した直後の状態で、仮にラッチ３４が回動されたとすると、ストライカ係合片３４Ａの先端がストライカ６３に例えば摺接して通過し、「空掛け」になり得る。すると、ラッチ操作レバー３４Ｒが上端に移動していることにより、障子１２が施錠されたと誤解され得る。
【００５０】
しかしながら、本実施形態の錠装置２０によれば、板金ベース３３がストライカ受容凹部３３Ｓに進入した直後の状態では、トリガー３５のラッチ係止アーム３５Ｋと、ラッチ３４のトリガー係合部３４Ｊとの係合により、ラッチ操作レバー３４Ｒの回動操作が禁止されているので、操作者は障子１２が半開き状態であることに気付く。そして、障子１２を閉じる操作がさらに行われると、図７に示すように、ストライカ６３がラッチ３４に係合可能な係合可能領域に進入すると共に、トリガー当接部６４がトリガー３５の障子検知アーム３５Ｔを押圧し、トリガー３５がラッチ係合位置からラッチ係合解除位置に回動する。これにより、トリガー３５のラッチ係止アーム３５Ｋと、ラッチ３４のトリガー係合部３４Ｊとの係合が解除され、ラッチ操作レバー３４Ｒの回動操作が許容された状態になる。
【００５１】
この状態で、図８に示すように、ラッチ操作レバー３４Ｒを上方に向けて回動操作し、ラッチ３４を解錠位置から施錠位置に回動させると、その過程でストライカ係合片３４Ａによりストライカ６３が錠装置２０側に引き寄せられる。この引き寄せ作用により、障子１２の縦框１２Ｔが窓枠１１の縦枠部材１１Ｔに接近し、図３に示すようにそれら縦框１２Ｔと縦枠部材１１Ｔとの間で帯状弾性部材１１Ｄが押し潰される。そして、ラッチ３４が施錠位置に至ると、図８に示すように、ラッチ３４のポール係合片３４Ｂとポール３６のラッチ係合片３６Ｔとが係合し、ラッチ３４が施錠位置に保持される。以上により、錠装置２０の施錠操作が完了する。
【００５２】
一方、錠装置２０を解錠するには、ポール操作部材４２を押圧操作すればよい。これにより、図９に示すように、ラッチ３４のポール係合片３４Ｂとポール３６のラッチ係合片３６Ｔとの係合が解除される。すると、コイルバネ３７の弾発力によってラッチ３４が解錠位置に向かって回動し、ラッチ３４とストッパＳＴ１とが当接して、ラッチ３４が解錠位置に位置決めされる。これにより、錠装置２０の解錠操作は完了する。なお、この状態で障子１２を開けば、トリガー当接部６４がトリガー３５から離れ、トリガー３５がコイルバネ３８の弾発力によってラッチ係合位置に戻される。
【００５３】
このように本実施形態の錠装置２０によれば、障子１２を閉めたつもりでも、半開き状態であると、ストライカ６３がラッチ３４に係合可能な係合可能領域に進入せず、トリガー３５がラッチ３４に係合した状態に保持されて、解錠位置から施錠位置へのラッチ３４の回動操作が禁止される。そして、ストライカ６３がラッチ３４に係合可能な係合可能領域に進入した位置まで障子１２を閉めると、トリガー３５とラッチ３４との係合が解除されて、解錠位置から施錠位置へのラッチ３４の回動操作が許容され、施錠を行うことができる。これにより、空掛けが防止され、障子１２と窓枠１１との間を確実に施錠することができる。また、本実施形態の錠装置２０によれば、板金ベース３３のうち縦枠部材１１Ｔの内向壁部１１Ａと反対側の一の面にラッチ３４，トリガー３５およびポール３６等の各部品を配置したので、図３に示すように、障子１２と窓枠１１との間の隙間における外部の開放口Ｒ１（以下、「障子隙間開口Ｒ１」という）に対し、ラッチ３４等が板金ベース３３によって隠され、これにより不正解錠を防止することができる。
【００５４】
ところで、上記した窓用サッシ１０とは逆方向に障子１２が回動する窓用サッシ１０に錠装置２０を取り付ける場合には、窓枠１１において錠装置２０の取り付け位置が左右逆になる。このような場合も、本実施形態の錠装置２０によれば、障子隙間開口Ｒ１に対してラッチ３４等が板金ベース３３によって隠される配置にすることができる。即ち、本実施形態の錠装置２０によれば、板金ベース３３のうち線対称の２つの位置に、ラッチ３４用、トリガー３５用及びポール３６用の３種類の各取付孔５０Ａ，５０Ｂ，５１Ａをそれぞれ設け、さらに、トリガー３５、ラッチ３４及びポール３６が何れも平板構造をなしているので、図１０に示すように、上述した錠装置２０に対し、所定の鉛直面を基準にして面対称になるように錠装置２０を構成部品の全てを組み替えることができる。即ち、左右が逆の仕様の錠装置２０を共通部品で構成することができ、コストを低減することが可能になる。
【００５５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５６】
（１）前記実施形態の錠装置２０は、縦辷り出し構造の障子１２の施錠に用いられていたが、図１１に示すように、スライド構造の障子１２Ｘの施錠に錠装置２０を用いてもよい。この場合、同図に示すように、錠装置２０を障子１２Ｘに取り付け、ストライカ６３を枠１１Ｘに設けてもよいし、逆に錠装置２０を枠１１Ｘに取り付け、ストライカ６３を障子１２Ｘに取り付けてもよい。
【００５７】
（２）本発明の技術的範囲には含まれないが、本発明の原理を利用し、障子を閉じたときに、ラッチがストライカに押されることで解錠位置から施錠位置に回動する構成にしてもよい。具体的には、図１２及び図１３に示した錠装置２０Ｘのように、ラッチ３４にバネ係止片３４Ｃを設けて前記実施形態のラッチ操作レバー３４Ｒの代わりとし、このバネ係止片３４Ｃとポール３６のバネ係止片３６Ｓとの間にコイルバネ３７を差し渡した構成にする。そして、第１実施形態のラッチ３４に比べて、ポール係合片３４Ｂの前縁部をストライカ係合片３４Ａ側に接近させた構造にしておく。この構成により、障子を閉じたときに、ストライカ６３がストライカ係合片３４Ａとポール係合片３４Ｂとの間に受容され、その状態でストライカ６３が錠装置２０に接近することで、ラッチ３４を解錠位置から施錠位置に回動させ、ポール３６が回動してラッチ３４と係合することにより障子と枠との間を施錠することができる。
【図面の簡単な説明】
【００５８】
【図１】本発明を適用した実施形態に係る縦辷り出し構造のサッシの斜視図
【図２】障子を開いた状態における縦框と縦枠部材の断面図
【図３】障子を閉じた状態における縦框と縦枠部材の断面図
【図４】錠装置の斜視図
【図５】解錠状態の錠装置の側断面図
【図６】解錠状態の錠装置の側断面図
【図７】解錠状態の錠装置の側断面図
【図８】施錠状態の錠装置の側断面図
【図９】施錠状態の錠装置の側断面図
【図１０】左右を逆にした仕様の錠装置の斜視図
【図１１】本発明に係る錠装置が取り付けられたスライド構造の障子の正面図
【図１２】本発明の原理を利用した錠装置における解錠状態の断面図
【図１３】その錠装置における施錠状態の断面図
【符号の説明】
【００５９】
１１    窓枠（枠）
１２，１２Ｘ    障子
２０，２０Ｘ    錠装置
３３    板金ベース
３３Ｃ    ベース固定部
３４    ラッチ
３４Ｊ    トリガー係合部
３４Ｒ    ラッチ操作レバー（ラッチ操作部）
３５    トリガー
３５Ｔ    障子検知アーム
３６    ポール
３６Ｒ    ポール被操作レバー（回動アーム）
４０    カバー
４２    ポール操作部材
４５    樹脂キャップ
４６    可動円弧部材
５０Ａ，５０Ｂ，５１Ａ    取付孔
６３    ストライカ
【図１】
2006214081.tif 000003
【図２】
2006214081.tif 000004
【図３】
2006214081.tif 000005
【図４】
2006214081.tif 000006
【図５】
2006214081.tif 000007
【図６】
2006214081.tif 000008
【図７】
2006214081.tif 000009
【図８】
2006214081.tif 000010
【図９】
2006214081.tif 000011
【図１０】
2006214081.tif 000012
【図１１】
2006214081.tif 000013
【図１２】
2006214081.tif 000014
【図１３】
2006214081.tif 000015